【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
読取り機器（３、３’）により送信され、トランスポンダに基づくモジュール（２）により受信される問合せ信号に基づき、移動する対象物（１０）に装着されることを意図され、前記読取り機器（３、３’）の近傍で情報を送信するように設計された前記トランスポンダに基づくモジュール（２）であって、
−前記トランスポンダに基づくモジュール（２）の電力供給のためにエネルギー抽出によりエネルギーを提供するための少なくとも１つの補助エネルギー源（４）と、
−少なくとも１つの物理的パラメータの複数の測定を遂行するための少なくとも１つのセンサ（５）と、
−前記センサ（５）の複数の測定値を受信するために前記センサ（５）に連結されたマイクロコントローラ（２２）と、
−前記センサ（５）により遂行され、かつ記憶するために前記マイクロコントローラ（２２）で処理された、前記複数の測定の測定データを少なくとも１つのメモリに記憶するためのメモリユニット（２１）と、
−前記トランスポンダに基づくモジュール（２）が前記読取り機器（３、３’）の近傍に配置されたとき、前記読取り機器（３、３’）から少なくとも１つの問合せ信号を受信するように設計された受信機（２５）と、
−前記読取り機器の前記問合せに基づき、記憶された前記測定データを送信するように設計された送信機（２３）と、
を備え、
前記マイクロコントローラ（２２）は、時間をかけて前記センサ（５）が遂行する前記測定を統制するために、ＲＣタイプまたはリングタイプの発振器である低周波内部発振器により統制され、これらの測定値は、低電力モードで各測定の時間の指示付きで前記メモリユニット（２１）に記憶され、少なくとも前記マイクロコントローラ（２２）および前記センサ（５）は、前記補助エネルギー源（４）によって継続的に電力供給され、
前記送信機（２３）は、近傍にある前記読取り機器の前記問合せ信号を前記受信機（２５）が受信した後に活動化されると、極超短波で、かつ１０Ｍビット／秒よりも大きな非常に高いビットレートで、記憶された前記測定データの信号を送信するように設計され、
前記メモリユニット（２１）は、揮発性メモリと、不揮発性メモリとを備え、前記マイクロコントローラ（２２）により検出された供給電圧レベルの関数として、前記マイクロコントローラ（２２）は、前記１つまたは複数のセンサ（５）の前記測定データを、前記供給電圧レベルが規定されたしきい値よりも大きい場合、前記不揮発性メモリに記憶し、前記供給電圧レベルが前記規定されたしきい値未満である場合、前記揮発性メモリに記憶することができる、
トランスポンダに基づくモジュール（２）。
【請求項２】
前記送信機（２３）は、前記受信機が前記読取り機器（３、３’）から前記問合せ信号を受信すると、前記メモリユニット（２１）に記憶された前記測定データをすべて送信することができることを特徴とする、請求項１に記載のトランスポンダに基づくモジュール（２）。
【請求項３】
前記送信機（２３）は、２ＧＨｚよりも大きな、好ましくは５．８ＧＨｚのオーダーの搬送周波数で、前記測定データの前記信号を送信するように設計されることを特徴とする、請求項１または請求項２に記載のトランスポンダに基づくモジュール（２）。
【請求項４】
前記送信機（２３）は、２６Ｍビット／秒のオーダーの非常に高いビットレートで、前記測定データの前記信号を送信するように設計されることを特徴とする、請求項１または請求項２に記載のトランスポンダに基づくモジュール（２）。
【請求項５】
前記送信機（２３）は、ＯＱＰＳＫタイプの位相変調された、前記記憶された測定データを送信することができることを特徴とする、請求項１に記載のトランスポンダに基づくモジュール（２）。
【請求項６】
前記補助エネルギー源（４）は、太陽電池、または熱電発電器（ｔｈｅｒｍｏｅｌｅｃｔｒｉｃ  ｇｅｎｅｒａｔｏｒ、ＴＥＧ）、または磁気誘導回路、または圧電素子であることを特徴とする、請求項１に記載のトランスポンダに基づくモジュール（２）。
【請求項７】
前記トランスポンダに基づくモジュール（２）に電力を電気的に、かつ連続的に供給するために、蓄積部（２７）またはスーパーキャパシタ素子に電荷を蓄積するように、前記トランスポンダに基づくモジュール（２）のエネルギーの抽出器（２６）に連結された、いくつかの補助エネルギー源（４）を備えることを特徴とする、請求項１に記載のトランスポンダに基づくモジュール（２）。
【請求項８】
前記マイクロコントローラ（２２）を、少なくとも前記揮発性メモリを備える前記メモリユニット（２１）に、ならびに前記受信機（２５）および前記送信機（２３）に連結して、トランスポンダ回路（２０）を形成することを特徴とする、請求項１に記載のトランスポンダに基づくモジュール（２）。
【請求項９】
各々は、それぞれの物理的パラメータの１つまたは複数の測定を遂行するように設計され、かつ前記メモリユニット（２１）に前記測定データを記憶するために前記マイクロコントローラ（２２）に連結された、いくつかの測定センサ（５）を備えることを特徴とする、請求項１に記載のトランスポンダに基づくモジュール（２）。
【請求項１０】
前記センサ（５）は、前記移動する対象物（１０）を構成する人または動物のバイオリズムの測定を遂行するように設計されることを特徴とする、請求項９に記載のトランスポンダに基づくモジュール（２）。
【請求項１１】
前記センサ（５）は、時間をかけていくつかの測定をそれぞれ遂行するように設計され、前記測定値は、前記メモリユニット（２１）内の規定された場所に記憶されることを特徴とする、請求項９に記載のトランスポンダに基づくモジュール（２）。
【請求項１２】
前記受信機（２５）は、１２５ｋＨｚのオーダーの低周波で、または１３ＭＨｚのオーダーの、もしくは４００ＭＨｚよりも大きな、好ましくは８６８ＭＨｚのオーダーの高周波で、１つまたは複数の信号を受信するように設計されることを特徴とする、請求項１に記載のトランスポンダに基づくモジュール（２）。
【請求項１３】
前記受信機（２５）は、前記トランスポンダに基づくモジュール（２）の近傍で前記読取り機器（３、３’）から発生する問合せ信号および同期信号を受信するように設計されることを特徴とする、請求項１２に記載のトランスポンダに基づくモジュール（２）。
【請求項１４】
前記送信機（２３）は、前記問合せ信号および前記同期信号を受信した直後から、かつ２６ＭＨｚのオーダーの周波数の水晶発振器により統制されている間に、活動化されることを特徴とする、請求項１３に記載のトランスポンダに基づくモジュール（２）。
【請求項１５】
請求項１から請求項１４のいずれかに記載のトランスポンダに基づくモジュール（２）の少なくとも１つと、少なくとも１つの読取り機器（３、３’）とを備える、情報伝達のためのシステム（１）であって、前記トランスポンダに基づくモジュール（２）は、近傍にある前記読取り機器から問合せ信号を受信後、極超短波で、かつ１０Ｍビット／秒よりも大きな非常に高いビットレートで、前記トランスポンダに基づくモジュール（２）の前記メモリユニット（２１）に記憶された測定データを伝達することができることを特徴とする、情報伝達のためのシステム（１）。
【請求項１６】
情報伝達のためのシステム（１）で、請求項１から請求項１４のいずれかに記載のトランスポンダに基づくモジュール（２）を作動させる方法であって、
−エネルギー源（４）により連続的に電力を供給され、かつ、低電力モードではＲＣタイプまたはリングタイプの発振器である低周波内部発振器により統制される、前記トランスポンダに基づくモジュール（２）のマイクロコントローラ（２２）により制御されている間に、１つまたは複数のセンサ（５）を介して、時間をかけていくつかの測定を遂行するステップと、
−前記マイクロコントローラ（２２）により処理された測定データをすべて、低電力モードで各測定時間の指示付きでメモリユニット（２１）に記憶するステップであって、前記メモリユニット（２１）は、揮発性メモリと、不揮発性メモリとを備え、前記マイクロコントローラ（２２）により検出された供給電圧レベルの関数として、前記マイクロコントローラ（２２）は、前記１つまたは複数のセンサ（５）の前記測定データを、前記供給電圧レベルが規定されたしきい値よりも大きい場合、前記不揮発性メモリに記憶し、前記供給電圧レベルが前記規定されたしきい値未満である場合、前記揮発性メモリに記憶することができる、ステップと、
−前記トランスポンダに基づくモジュール（２）が前記読取り機器（３、３’）の近傍に配置されたとき、前記トランスポンダに基づくモジュール（２）の受信機（２５）を介して前記読取り機器（３、３’）から問合せ信号を受信するステップと、
−前記問合せ信号を受信した直後から、通信状態にある前記読取り機器（３、３’）に、１０Ｍビット／秒よりも大きな非常に高いビットレートで、記憶された前記測定データを送信するために、極超短波で送信機（２３）を完全に活動化するステップと
を備えるトランスポンダに基づくモジュール（２）を作動させる方法。
【請求項１７】
前記トランスポンダに基づくモジュール（２）の前記受信機（２５）は、前記マイクロコントローラ（２２）と前記記憶された測定データを同期させるために、近傍にある前記読取り機器（３、３’）から問合せ信号および同期信号を受信することを特徴とする、請求項１６に記載のトランスポンダに基づくモジュール（２）を作動させる方法。
【請求項１８】
前記送信機（２３）は、通信状態にある前記読取り機器に１秒未満の時間で、非常に高いビットレートで前記測定データをすべて送信すると、非活動化され、読取り機器（３、３’）の次の問合せまで、アイドルモードに推移することを特徴とする、請求項１６に記載のトランスポンダに基づくモジュール（２）を作動させる方法。